(57)【特許請求の範囲】
【請求項１】
天吊り型の室内ユニットにおけるケーシング内に熱交換器及び送風機が収容され、前記ケーシングの底面に吸込口が設けられ、前記ケーシングの４つの側面に吹出口が設けられ、前記送風機の駆動により前記吸込口から吸い込まれた空気が前記熱交換器にて熱交換されて前記吹出口から吹き出される空気調和機の室内ユニットにおいて、
前記吹出口は、前記ケーシングの側面の高さ方向に複数の吹出口エレメントを備えて構成され、
前記複数の吹出口エレメントのうち最下位置を含む下側位置の前記吹出口エレメントを開状態とすることで、前記吹出口から吹き出される空気を下向きの風向とし、
前記複数の吹出口エレメントのうち中央及び下側位置の前記吹出口エレメントを開状態とすることで、前記吹出口から吹き出される空気を斜め下向きの風向とし、
前記複数の吹出口エレメントのうち最上位置の前記吹出口エレメントを開状態とする、または、前記吹出口エレメントの全てを開状態とすることで、前記吹出口から吹き出される空気を水平向きとする吹出口変更手段を備えたことを特徴とする空気調和機の室内ユニット。
【請求項２】
前記吹出口変更手段は、前記各吹出口エレメントを開閉可能とする回転ルーバであることを特徴とする請求項１に記載の空気調和機の室内ユニット。
【発明の詳細な説明】
【技術分野】
【０００１】
本発明の実施形態は、空気調和機の室内ユニットに係り、特に吹出口の開口面積が変更可能な空気調和機の室内ユニットに関する。
【背景技術】
【０００２】
空気調和機の室内ユニットには、建物の天井内に埋め込まれる天井埋込型（特許文献１参照）と、天井から吊り下げられる天井吊り型（特許文献２参照）と、壁に設置される壁掛け型（特許文献３参照）とがある。
【０００３】
天井埋込型の室内ユニットは、ケーシング本体内に送風機及び熱交換器が収容され、ケーシング本体の下部に設置された化粧パネルに吸込口及び吹出口が形成され、化粧パネルが、ケーシング本体と天井との隙間を覆っている。
【０００４】
送風機の回転駆動により吸込口から吸い込まれた室内の空気は、熱交換器にて熱交換された後、吹出口から室内へ吹き出される。このとき、吸込口が化粧パネルの中央に設けられ、吹出口が化粧パネルにおける吸込口の周囲４箇所に設けられているので、熱交換器にて熱交換された空気は、室内ユニット周囲の互いに直交する４方向へ風向板に案内されて吹き出される。
【先行技術文献】
【特許文献】
【０００５】
【特許文献１】特開平１０−２２０７９９号公報
【特許文献２】特開２００１−１８３００２号公報
【特許文献３】特開２０１１−１９１０５５号公報
【発明の概要】
【発明が解決しようとする課題】
【０００６】
ところで、上述のような天井埋込型の室内ユニットでは、吸込口から吸い込まれた空気は、送風機、熱交換器、吹出口へ順次流れる間にその向きが９０度以上に変化して吹出口から吹き出されるため、流路抵抗が増大する。このため、天井埋込型の室内ユニットからの吹出空気風量は、天井吊り型の室内ユニットからの吹出空気風量よりも減少してしまう。
【０００７】
また、天井埋込型の室内ユニットでは、例えば冷房運転停止時に風向板を閉じるが、このとき、この風向板と化粧パネルとの間に隙間が生じてしまう。このため、この隙間を通して室内の空気がケーシング本体内に流入してケーシング本体内の温度が上昇し、ドレン受けに貯溜されていたドレン水が蒸発（再蒸発）してしまう。そして、このとき生じた水蒸気を多量に含む空気が風向板と化粧パネルとの隙間を通って室内へ流出して、室内の湿度が上昇してしまう。
【０００８】
本発明における実施形態の目的は、上述の事情を考慮してなされたものであり、空調を実施したい空間領域に応じて最適な空調を実現できる空気調和機の室内ユニットを提供することにある。
【課題を解決するための手段】
【０００９】
本発明の実施形態における空気調和機の室内ユニットは、天吊り型の室内ユニットにおけるケーシング内に熱交換器及び送風機が収容され、前記ケーシングの底面に吸込口が設けられ、前記ケーシングの４つの側面に吹出口が設けられ、前記送風機の駆動により前記吸込口から吸い込まれた空気が前記熱交換器にて熱交換されて前記吹出口から吹き出される空気調和機の室内ユニットにおいて、前記吹出口は、前記ケーシングの側面の高さ方向に複数の吹出口エレメントを備えて構成され、前記複数の吹出口エレメントのうち最下位置を含む下側位置の前記吹出口エレメントを開状態とすることで、前記吹出口から吹き出される空気を下向きの風向とし、前記複数の吹出口エレメントのうち中央及び下側位置の前記吹出口エレメントを開状態とすることで、前記吹出口から吹き出される空気を斜め下向きの風向とし、前記複数の吹出口エレメントのうち最上位置の前記吹出口エレメントを開状態とする、または、前記吹出口エレメントの全てを開状態とすることで、前記吹出口から吹き出される空気を水平向きとする吹出口変更手段を備えたことを特徴とするものである。
【図面の簡単な説明】
【００１０】
【図１】第１実施形態に係る空気調和機の室内ユニットを示す概略側断面図。
【図２】図１の室内ユニットから吹き出される空気の風向を示し、（Ａ）は下向きの風向を、（Ｂ）は斜め下向きの風向を、（Ｃ）は水平向きの風向をそれぞれ示す説明図。
【図３】図１の室内ユニットの吹出口から吹き出される空気の流れの解析結果を示し、（Ａ）は風向が下向きの場合、（Ｂ）は風向が水平向きの場合、（Ｃ）は風向が水平向きで吹出口の開口面積を拡大した場合をそれぞれ示す解析図。
【図４】図１の室内ユニットの変形形態を示す概略側断面図。
【図５】第２実施形態に係る空気調和機の室内ユニットを示し、（Ａ）は概略側断面図、（Ｂ）は図５（Ａ）のＶ矢視図。
【図６】図５の室内ユニットの動作状態を示し、（Ａ）は吹出口の開口面積小の場合、（Ｂ）は吹出口の開口面積大の場合をそれぞれ示す概略側断面図。
【図７】第３実施形態に係る空気調和機の室内ユニットを示す正面図。
【図８】図７の室内ユニットを示す側面図。
【図９】図７の室内ユニットにおける正面吹出口及び右側面吹出口の開状態を示し、（Ａ）は正面図、（Ｂ）は側面図。
【図１０】図７の室内ユニットの変形形態を示し、（Ａ）は正面図、（Ｂ）は側面図。
【発明を実施するための形態】
【００１１】
以下、本発明を実施するための形態を、図面に基づき説明する。
［Ａ］第１実施形態（図１〜図４）
図１は、第１実施形態に係る空気調和機の室内ユニットを示す概略側断面図である。この図１に示す空気調和機の室内ユニット１０は、天井１に吊り下げられる天井吊り型の室内ユニットである。そして、この室内ユニット１０は、直方体形状のケーシング１１と、このケーシング１１内の中央位置に配置された送風機１２と、ケーシング１１内で送風機１２の周囲を囲うように設置された熱交換器１３と、を有して構成される。ケーシング１１に吸込口１４及び吹出口１５が開口して形成される。また、熱交換器１３は、ドレン受け１９を介してケーシング１１に支持される。
【００１２】
吸込口１４は、ケーシング１１の底面１６に形成され、送風機１２の回転駆動時に室内の空気をケーシング１１内に吸い込む。この吸い込まれた空気は、約９０度屈曲して熱交換器１３へ流れる。また、吹出口１５は、ケーシング１１の４つの側面１７の全てに、各熱交換器１３に対応して形成され、ケーシング１１内に吸い込まれ熱交換器１３により熱交換された空気を室内へ吹き出す。このケーシング１１内での空気の流れを、図１に矢印Ａで示す。吹出口１５がケーシング１１の側面１７の全てに設けられたことで、熱交換された空気が室内ユニット１０周囲の互いに直交する４方向へ吹き出される。
【００１３】
各吹出口１５は、ケーシング１１の側面１７の高さ方向に複数、例えば５つ連続して配置された吹出口エレメント１５Ａ、１５Ｂ、１５Ｃ、１５Ｄ及び１５Ｅにより構成される。そして、これらの吹出口エレメント１５Ａ〜１５Ｅのそれぞれに、吹出口変更手段としての回転ルーバ１８が配設される。吹出口エレメント１５Ａ〜１５Ｅのそれぞれの回転ルーバ１８が回転してケーシング１１の側面１７に対し平行位置になることで、吹出口エレメント１５Ａ〜１５Ｅのそれぞれは閉状態となる。また、吹出口エレメント１５Ａ〜１５Ｅのそれぞれの回転ルーバ１８が回転してケーシング１１の側面１７に対し垂直位置になることで、吹出口エレメント１５Ａ〜１５Ｅのそれぞれは開状態になる。
【００１４】
従って、回転ルーバ１８は、開状態とすべき吹出口エレメント１５Ａ〜１５Ｅの数を変更することで、吹出口１５の開口面積を変更し、開状態とすべき吹出口エレメント１５Ａ〜１５Ｅの位置を変更することで、吹出口１５の開口位置を変更する。このように、吹出口１５は回転ルーバ１８により、その開口面積及び開口位置が変更される。尚、吹出口エレメント１５Ａ〜１５Ｅの各開口面積は異なるものであってもよいが、本実施形態では同一に設定されている。
【００１５】
具体的には、図２（Ａ）に示すように、熱交換器１３の高さに対し例えば１／２よりも下側に位置する吹出口エレメント１５Ｄ及び１５Ｅを開状態とすることで、吹出口１５から吹き出される空気は、矢印Ａ１に示すように下向きの風向となる。また、図２（Ｂ）に示すように、吹出口１５における中央及び下側に位置する吹出口エレメント１５Ｃ及び１５Ｄを開状態とすることで、吹出口１５から吹き出される空気は、矢印Ａ２に示すように斜め下向きの風向となる。
【００１６】
更に、図２（Ｃ）に示すように、吹出口１５における天井１に最も近い最上位置の吹出口エレメント１５Ａのみを開状態とすることで、吹出口１５から吹き出される空気は、矢印Ａ３に示すように水平向きの風向になると共に、吹出口１５の開口面積が図２（Ａ）及び（Ｂ）の場合に比べて約１／２となる。ここで、吹出速度＝風量／吹出口面積であることから、図２（Ｃ）の場合には、吹出口１５から吹き出される空気の吹出速度が増大して、吹き出される空気の到達距離が長くなる。
【００１７】
更に、吹出口１５の開口面積を変更する例を図３に示す。この図３では、吹出口１５は吹出口エレメント１５Ａ〜１５Ｄにより構成されている。図３（Ａ）は、吹出口１５の最下位置の吹出口エレメント１５Ｄのみを開状態として、空気を下向きに吹出速度大で吹き出す例であり、その流動状況を符号Ｐ１で示す。また、図３（Ｂ）は、吹出口１５の最上位置の吹出口エレメント１５Ａのみを開状態として、空気を水平向きに吹出速度大で吹き出す例であり、その流動状況を符号Ｐ２に示す。空調を実施したい空間領域が大空間であったり、風速を体感させたい場合には、吹出口エレメント１５Ａ〜１５Ｄのいずれか１つを開状態として吹出口１５の開口面積を縮小することで、吹出口１５から吹き出される空気の吹出速度を増大させて、大空間に均一な空調を実現する。
【００１８】
また、図３（Ｃ）は、吹出口エレメント１５Ａ〜１５Ｄの全てを開状態として、空気を水平向きに吹出速度小で吹き出す例であり、その流動状況を符号Ｐ３で示す。空調を実施したい空間領域が小空間であったり、風速を体感させたくない場合には、吹出口エレメント１５Ａ〜１５Ｄの複数または全てを開状態として吹出口１５の開口面積を拡大することで、吹出口１５から吹き出される空気の吹出速度を減少させて、室内ユニット１０付近の小空間に空調を実現する。
【００１９】
以上のように構成されたことから、本第１実施形態によれば、次の効果（１）及び（２）を奏する。
（１）回転ルーバ１８を回転することで、開状態とする吹出口エレメント１５Ａ〜１５Ｅの数の変更して、吹出口１５の開口面積を変更するので、室内ユニット１０の熱交換器１３により熱交換されて吹出口１５から吹き出される空気の吹出速度を制御できる。従って、空調を実施したい空間領域が大空間である場合などでは、吹出口１５の開口面積を縮小させて空気の吹出速度を増大させることで、大空間に均一な空調を実現できる。また、空調を実施したい空間領域が小空間である場合などでは、吹出口１５の開口面積を拡大させて空気の吹出速度を減少させることで、室内ユニット１０付近の小空間を効果的に空調できる。これらの結果、空調を実施したい空間領域に応じて、無駄なく最適な空調を実現できる。
【００２０】
（２）回転ルーバ１８を回転することで、開状態とする吹出口エレメント１５Ａ〜１５Ｅの位置を変更して、吹出口１５の開口位置を変更するので、吹出口１５から吹き出される空気の風向を制御できる。このように、室内ユニット１０の吹出口１５の所望位置から空気が吹き出されることで、快適性を向上させることができる。
【００２１】
なお、図４に示す室内ユニット２０のように、ケーシング１１における側面１７の内側に、吹出口１５に対して昇降し且つ開口２１を備えたスライダ２２を設け、このスライダ２２を昇降させるようにしてもよい。このスライダ２２の上端及び下端には、可撓性の遮蔽部材２３が設けられている。スライダ２２を昇降させることで、開口２１の位置が変更され、これに応じて吹出口１５の開口位置が変更されるので、吹出口１５から吹き出される空気の向き（風向）を制御できる。従って、この室内ユニット２０においても、上記効果（２）と同様な効果を奏する。
【００２２】
［Ｂ］第２実施形態（図５、図６）
図５は、第２実施形態に係る空気調和機の室内ユニットを示し、（Ａ）は概略側断面図、（Ｂ）は図５（Ａ）のＶ矢視図である。この第２実施形態における空気調和機の室内ユニット３０は、天井１内に埋め込まれる天井埋込型の室内ユニットである。そして、この室内ユニット３０は、直方体形状のケーシング本体３１と、このケーシング本体３１の下部に設置される正面視ロ字形状の化粧パネル３２と、この化粧パネル３２の内側に昇降可能に配置され、中央に吸込口３４を備えた吸込口パネル３３と、ケーシング本体３１内の中央位置に配置された送風機３５と、ケーシング本体３１内で送風機３５の周囲を囲うように設置された熱交換器３６と、を有して構成される。
【００２３】
化粧パネル３２の内周面３７と吸込口パネル３３の外周に形成された後述の傾斜面４１とに囲まれて吹出口３８が形成される。従って、ケーシング本体３１、化粧パネル３２及び吸込口パネル３３により、本実施形態のケーシング３９が構成される。また、吸込口３４は、複数の格子からなる吸込グリルとして構成される。更に、熱交換器３６の下部にドレン受け４０が配置されている。
【００２４】
送風機３５の回転駆動により、室内の空気が吸込口３４からケーシング本体３１内に吸い込まれる。この吸い込まれた空気は約９０度に屈曲されて送風機３５から熱交換器３６へ流れ、この熱交換器３６にて熱交換される。熱交換器３６にて熱交換された空気は、約９０度に屈曲されてケーシング本体３１の側面に沿って流れ、吹出口３８から室内へ吹き出される。吹出口３８が吸込口パネル３３と化粧パネル３２の周囲に形成されることで、熱交換器３６にて熱交換された空気は、室内ユニット３０周囲の互いに直交する４方向へ吹き出される。
【００２５】
吹出口３８を形成する傾斜面４１は、吸込口パネル３３の外周に斜め下方へ傾斜して形成される。これにより、熱交換器３６にて熱交換された空気は、傾斜面４１に沿って流れて吹出口３８から吹き出される。吸込口パネル３３が図６（Ａ）及び（Ｂ）に示すように昇降することで傾斜面４１の位置が変化し、吹出口３８から吹き出される空気が水平向き（図６（Ａ））または真下向き（図６（Ｂ））に流れることで、傾斜面４１が風向板として機能する。
【００２６】
上述のように吸込口パネル３３を昇降させる昇降機構４２は、例えばラック、ピニオン及び電動モータを有して構成され、吹出口３８の面積を変更する吹出口変更手段である。つまり、昇降機構４２により吸込口パネル３３が下降すると、図６（Ｂ）に示すように吹出口３８の開口面積が拡大し、吹出口３８から吹出速度の小さな空気が真下向きに吹き出される。また、昇降機構４２により吸込口パネル３８が上昇すると、図６（Ａ）に示すように吹出口３８の開口面積が縮小し、吹出口３８から吹出速度の大きな空気が水平向きに吹き出される。
【００２７】
昇降機構４２により吸込口パネル３３が更に上昇すると、吸込口パネル３３の傾斜面４１が化粧パネル３２の内周縁４３に接触して、吹出口３８が隙間なく閉塞される。これにより、化粧パネル３２と吸込口パネル３３との間に隙間がなくなる。
【００２８】
以上のように構成されたことから、本第２実施形態によれば、昇降機構４２が吸込口パネル３３を昇降させることで、吹出口３８の開口面積が変更されると共に、吹出口３８から吹き出される空気の向きも変更されるので、第１実施形態の効果（１）及び（２）と同様な効果を奏する。その他、本第２実施形態では、次の効果（３）及び（４）を奏する。
【００２９】
（３）吸込口パネル３３の外周に形成された傾斜面４１が風向板の機能を果たし、風向板１０８（図１０３３）が存在しなくなることから、化粧パネル３２及び吸込口パネル３３の清掃を容易化できる。
【００３０】
（４）吸込口パネル３３の上昇によって、この吸込口パネル３３の傾斜面４１が化粧パネル３２の内周縁４３と接触したときには、吹出口３８が隙間なく閉塞されることになるので、この吹出口３８の閉塞時に従来のような風向板と化粧パネルと間に生じる隙間が生じない。
【００３１】
従って、例えば冷房運転停止時に吹出口３８が上述のように閉塞されても、隙間が生じないため、室内の空気が隙間を通ってケーシング本体３１内へ流入しなくなり、このケーシング本体３１内の温度上昇が抑制される。この結果、ドレン受け４０に貯溜されたドレン水の蒸発（再蒸発）を抑制でき、しかもドレン水が蒸発した空気が隙間１０９を通って室内へ流れることもないので、室内の湿度環境を好適に維持できる。更に、冷房運転再開時には、水分の少ない空気を冷却することになるので、空気中の水分の凝縮に必要なエネルギーを抑制できる。
【００３２】
［Ｃ］第３実施形態（図７〜図１０）
図７は、第３実施形態に係る空気調和機の室内ユニットを示す正面図である。また、図８は、図７の室内ユニットを示す側面図である。本第３実施形態における空気調和機の室内ユニット５０は、天井１に吊り下げられる天井吊り型の室内ユニットである。そして、この室内ユニット５０は、直方体形状のケーシング５１と、このケーシング５１内の後方に設置された送風機５２と、ケーシング１１内の前方に傾斜して設置された熱交換器５３と、ケーシング１１内の最後方に設置され制御装置５５を備えた電気部品箱５４と、を有して構成される。
【００３３】
送風機５２はシロッコファンであり、ファンケーシング５６により覆われる。また、ケーシング１１内には、前後を区画する仕切板５７が設置されている。この仕切板５７により、ケーシング１１の内部空間は、送風機５２、ファンケーシング５６及び電気部品箱５４を有する吸込側空間５８と、熱交換器５３を有する吹出側空間５９とに区画される。ケーシング１１の底面には吸込口６０が、吸込側空間５８に連通して形成されている。また、吹出側空間５９内におけるケーシング１１の底面内側には、熱交換器５３の下方にドレンパン６１が設置される。
【００３４】
更に、ケーシング１１には、正面に正面吹出口６２が、左側面に左側面吹出口６３が、右側面に右側面吹出口６４が、それぞれ吹出側空間５９に連通して開口される。正面吹出口６２にはフロントフラップ６５が配設され、このフロントフラップ６５は、上下方向に回動自在に枢支される。このフロントフラップ６５がフロントフラップ用モータ６６により上下方向に回動することで、正面吹出口６２が開閉される。
【００３５】
また、側面視におけるフロントフラップ６５と熱交換器６３との間で、且つ正面視における正面吹出口６２の下方領域に対応する位置に、複数枚のルーバ６７及び６８が、ケーシング５１の幅方向に配列される。これらのルーバ６７及び６８は、正面視左側の複数枚が左ルーバ６７であり、正面視右側の複数枚が右ルーバ６８である。これらの左ルーバ６７及び右ルーバ６８は共に、左右方向に回動自在に枢支される。
【００３６】
複数枚（例えば４枚）の左ルーバ６７は、連結棒６９を介して左ルーバ用モータ７０に連結され、この左ルーバ用モータ７０の駆動により左、右いずれかの方向に向きを変える。また、複数枚（例えば４枚）の右ルーバ６８は、連結棒７１を介して右ルーバ用モータ７２に連結され、この右ルーバ用モータ７２の駆動により左、右のいずれかの方向に向きを変える。
【００３７】
更に、ケーシング１１の左側面吹出口６３、右側面吹出口６４のそれぞれには、左サイドフラップ７３、右サイドフラップ７４が配設される。このうち右サイドフラップ７４は、軸心Ｏ周りに回動自在に枢支され、右サイドフラップ用モータ７６の駆動により右側面吹出口６４を開または閉状態に設定する。左サイドフラップ７３も同様に、左サイドフラップ用モータ７５の駆動により左側面吹出口６３を開または閉状態に設定する。
【００３８】
これらの左サイドフラップ７３及び右サイドフラップ７４は、フロントフラップ６５が正面吹出口６２を開状態に設定した状態下で、左サイドフラップ７３が左側面吹出口６３を、右サイドフラップ７４が右側面吹出口６４をそれぞれ開または閉状態に設定することで、室内ユニット５０の吹出口６２、６３、６４の開口面積を変更する吹出口変更手段として機能する。
【００３９】
ここで、フロントフラップ用モータ６６、左ルーバ用モータ７０、右ルーバ用モータ７２、左サイドフラップ用モータ７５及び右サイドフラップ用モータ７６の各モータ、並びに送風機５２は、制御装置５５によってそれぞれ独立して制御される。
【００４０】
制御装置５５により送風機５２が回転駆動され、フロントフラップ６５の動作により正面吹出口６２が開状態に操作されると、室内の空気は、吸込口６０からケーシング５１の吸込側空間５８内に吸い込まれ、送風機５２により吹出側空間５９内へ吐出される。この吹出側空間５９内に吐出された空気は、熱交換器５３にて熱交換された後に正面吹出口６２から室内へ吹き出される。
【００４１】
送風機５２が回転し且つ正面吹出口６２が開状態にある上述の運転中に、図９に示すように左サイドフラップ７３と右サイドフラップ７４の少なくとも一方、図９では右サイドフラップ７４が右サイドフラップ用モータ７６（図８）の駆動により開状態に操作され、これに対応して右ルーバ用モータ７２（図７）が駆動されて、右ルーバ６８が右向きに方向変換されると、この右ルーバ６８は、正面吹出口６２から吹き出される前の熱交換された空気の一部を、開状態に設定された右側面吹出口６４へ向けて流し、この右側面吹出口６４から室内へ吹き出させる。このときには、開状態の正面吹出口６２からも、熱交換された空気が吹き出されている。
【００４２】
左サイドフラップ用モータ７５（図８）が駆動されて左サイドフラップ７３により左側面吹出口６３が開状態に操作される場合には、左ルーバ用モータ７０（図７）の駆動により左ルーバ６７が左向きに方向変換されて、正面吹出口６２から吹き出される前の熱交換された空気の一部が、開操作された左側面吹出口６３から吹き出される。このときにも、開操作された正面吹出口６２から、熱交換された空気が吹き出されている。
【００４３】
右側面吹出口６４からの空気の吹き出しを停止したいときには、右サイドフラップ用モータ７６を駆動して右サイドフラップ７４により右側面吹出口６４を閉状態とし、且つ右ルーバ用モータ７２を駆動して右ルーバ６８を元位置に戻すことで、開状態の正面吹出口６２のみから、熱交換された空気を吹き出させる。同様に、左側面吹出口６３からの空気の吹き出しを停止したいときには、左サイドフラップ用モータ７５を駆動して左サイドフラップ７３により左側面吹出口６３を閉状態とし、且つ左ルーバ用モータ７０を駆動して左ルーバ６７を元位置に戻すことで、開状態の正面吹出口６２のみから、熱交換された空気を吹き出させる。
【００４４】
以上のように構成されたことから、本第３実施形態によれば、正面吹出口６２の開状態下で、左側面吹出口６３が左サイドフラップ７３により、右側面吹出口６４が右サイドフラップ７４によりそれぞれ開または閉状態に設定されることで、室内ユニット５０における吹出口６２、６３、６４の開口面積が変更されると共に、吹出口から吹き出される空気の向きも変更される。このため、第１実施形態の効果（１）及び（２）と同様な効果を奏し、特に空調すべき空間領域の温度を均一化できる。
【００４５】
なお、図１０に示すように、左サイドフラップ７３、右サイドフラップ７４のそれぞれに代えて左側面吹出口カバー８１、右側面吹出口カバー８２を用い、左サイドフラップ用モータ７５、右サイドフラップ用モータ７６、連結棒６９、左ルーバ用モータ７０、連結棒７１及び右ルーバ用モータ７２を省略した室内ユニット８０であってもよい。この室内ユニット８０では、左側面吹出口カバー８１及び右側面吹出口カバー８２は吹出口変更手段として機能し、手動操作により、左側面吹出口カバー８１が左側面吹出口６３を、右側面吹出口カバー８２が右側面吹出口６４をそれぞれ開または閉状態に設定する。更に、左ルーバ６７及び右ルーバ６８も、手動操作により、それぞれ任意の枚数の向きが変更される。
【００４６】
例えば、正面吹出口６２と共に右側面吹出口６４からも熱交換された空気を吹き出させる場合には、手動操作により右側面吹出口カバー８２を取り除いて右側面吹出口６４を開状態とし、任意の枚数の右ルーバ６８を手動操作により右側面吹出口６４側へ向ける。正面吹出口６２からのみ空気を吹き出させるように変更する場合には、手動操作で右側面吹出口６４に右側面吹出口カバー８２を装着して右側面吹出口６４を閉状態とし、右ルーバ６８を元位置に戻す。この室内ユニット８０の場合には、室内ユニット５０の効果を安価に実現できる。
【００４７】
以上、本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができ、また、それらの置き換えや変更は、発明の範囲や要旨に含まれると共に、特許請求の範囲に記載された発明とその均等の範囲に含まれる。
【００４８】
例えば、第３実施形態の室内ユニット５０において、左ルーバ６７と左サイドフラップ７３を連結棒で連結して、左ルーバ用モータ７０と左サイドフラップ用モータ７５のいずれか一方を省略し、同様に、右ルーバ６８と右サイドフラップ７４とを連結棒で連結して、右ルーバ用モータ７２と右サイドフラップ用モータ７６のいずれか一方を省略してもよい。このように構成することで、左ルーバ用モータ７０と左サイドフラップ用モータ７５のいずれか１個で、左ルーバ６７と左サイドフラップ７３とを同期して動作させ、また、右ルーバ用モータ７２と右サイドフラップ用モータ７６のいずれ１個で、右ルーバ６８と右サイドフラップ７４とを同期して動作させることができるので、部品点数が減少してコストを低減できる。
【符号の説明】
【００４９】
１  天井
１０  室内ユニット
１１  ケーシング
１２  送風機
１３  熱交換器
１４  吸込口
１５  吹出口
１５Ａ〜１５Ｅ  吹出口エレメント
１７  側面
１８  回転ルーバ（吹出口変更手段）
３０  室内ユニット
３１  ケーシング本体
３２  化粧パネル
３３  吸込口パネル
３４  吸込口
３５  送風機
３６  熱交換器
３８  吹出口
３９  ケーシング
４１  傾斜面
４２  昇降機構（吹出口変更手段）
４３  内周縁
５０  室内ユニット
５１  ケーシング
５２  送風機
５３  熱交換器
６０  吸込口
６２  正面吹出口
６３  左側面吹出口
６４  右側面吹出口
６５  フロントフラップ
６７  左ルーバ
６８  右ルーバ
７３  左サイドフラップ（吹出口変更手段）
７４  右サイドフラップ（吹出口変更手段）
８０  室内ユニット
８１  左側面吹出口カバー（吹出口変更手段）
８２  右側面吹出口カバー（吹出口変更手段）
【図１】
0006368208.tif 000002
【図２】
0006368208.tif 000003
【図３】
0006368208.tif 000004
【図４】
0006368208.tif 000005
【図５】
0006368208.tif 000006
【図６】
0006368208.tif 000007
【図７】
0006368208.tif 000008
【図８】
0006368208.tif 000009
【図９】
0006368208.tif 000010
【図１０】
0006368208.tif 000011